(57)【要約】【課題】フラッシュ発光部をレンズバリアに設けたカメラの操作性を向上させる。【解決手段】レンズバリア１２は、カメラ本体１１の前面１１ａ側から上面１１ｂに回り込むように、略直角に屈曲された屈曲部１４を有している。この屈曲部１４には、フラッシュ発光部１５と、メインコンデンサ１６とが収納されている。このレンズバリア１２は、撮影レンズ１３を遮蔽する遮蔽位置と露呈させる露呈位置との間で、カメラ本体１１の互いに対向する２つの側面１１ｃ，１１ｄと略直交する矢印Ａ方向に、カメラ本体１１によってスライド自在に保持されている。また、レンズバリア１２は、２つの側面１１ｃ，１１ｄの内側でスライドするように、カメラ本体１１によって保持されている。【選択図】図１
2008191454.tif 000002
【特許請求の範囲】
【請求項１】
撮影レンズを前面に有する略直方体形状のカメラ本体と、前記カメラ本体に設けられ、前記撮影レンズ及びその周辺部を遮蔽する遮蔽位置と露呈させる露呈位置との間で、前記前面に隣接して互いに対向する２つの側面と略直交する方向にスライド自在、且つ前記２つの側面よりも内側でスライドするレンズバリアとを備えたカメラにおいて、
前記レンズバリア内に収納され、被写体に向けて光を照射するフラッシュ発光部を備えたことを特徴とするカメラ。
【請求項２】
前記レンズバリアは、前記前面及び前記２つの側面と隣接する隣接面に回り込むように略直角に屈曲された屈曲部を有し、前記フラッシュ発光部は、前記屈曲部に収納されていることを特徴とする請求項１に記載のカメラ。
【請求項３】
前記屈曲部には、前記フラッシュ発光部とともに、フラッシュ用のコンデンサが収納されており、前記フラッシュ発光部は、前記撮影レンズとの間隔が前記コンデンサよりも大きくなる位置に配置されていることを特徴とする請求項２に記載のカメラ。
【請求項４】
前記レンズバリアの前面には、前方に向けて突出されたグリップ部が形成され、前記グリップ部内にフラッシュ用のコンデンサが収納されていることを特徴とする請求項２に記載のカメラ。
【請求項５】
前記レンズバリアは、前記隣接面と対向する対向面に、前記フラッシュ発光部を収納する突出部を有し、前記隣接面には、前記突出部を収納し、前記レンズバリアのスライドによる前記突出部の移動を許容する長さを有する溝部が設けられ、前記溝部は、前記レンズバリアによって常に覆われる位置に形成されていることを特徴とする請求項２ないし４のいずれか１項に記載のカメラ。
【請求項６】
前記溝部は、前記カメラ本体の背面側に貫通されており、前記レンズバリアは、前記カメラ本体の背面側に回り込むように屈曲されていることを特徴とする請求項５に記載のカメラ。
【請求項７】
前記レンズバリアは、前記カメラ本体の背面側に延ばされた延設部に、操作部を備えていることを特徴とする請求項６に記載のカメラ。
【請求項８】
前記カメラ本体の背面には、画像を表示する表示手段が設けられており、前記レンズバリアが前記遮蔽位置にある場合、前記延設部によって、前記表示手段の少なくとも一部が覆われることを特徴とする請求項７に記載のカメラ。
【発明の詳細な説明】
【技術分野】
【０００１】
本発明は、撮影レンズを保護するレンズバリアにフラッシュ発光部を設けたカメラに関する。
【背景技術】
【０００２】
従来、撮影レンズを有するカメラ本体と、撮影レンズを遮蔽する遮蔽位置と露呈させる露呈位置との間で移動自在なレンズバリアとを備えたカメラが知られている。このようなカメラでは、不使用時にレンズバリアによって撮影レンズが覆われて、撮影レンズに傷が付くことを防止できる。
【０００３】
また、フラッシュ発光部をレンズバリアに設けて、レンズバリアが露呈位置に移動された時のフラッシュ発光部と撮影レンズとの距離を長くすることによって、赤目を防止したカメラが知られている（例えば、特許文献１〜８参照）。
【特許文献１】特開平０６−１６０９５６号公報
【特許文献２】特開平０９−２１１５６１号公報
【特許文献３】特開平１１−２１２１４９号公報
【特許文献４】特開平１１−２５８６５７号公報
【特許文献５】特開平１１−２８２０６１号公報
【特許文献６】特開平１１−３２７０１７号公報
【特許文献７】特開２０００−７５３５９号公報
【特許文献８】特開２００６−３９４０４号公報
【発明の開示】
【発明が解決しようとする課題】
【０００４】
しかしながら、特許文献１〜８に記載されているカメラは、レンズバリアを遮蔽位置から露呈位置へ移動させた時にカメラ全体の体積が増加するため、撮影時の操作性が悪いという問題があった。
【０００５】
本発明は、上記事情に鑑みてなされたものであり、フラッシュ発光部を有するレンズバリアを備え、撮影時の操作性を向上させたカメラを提供することを目的とする。
【課題を解決するための手段】
【０００６】
上記課題を解決するために、本発明のカメラは、撮影レンズを前面に有する略直方体形状のカメラ本体と、前記カメラ本体に設けられ、前記撮影レンズ及びその周辺部を遮蔽する遮蔽位置と露呈させる露呈位置との間で、前記前面に隣接して互いに対向する２つの側面と略直交する方向にスライド自在、且つ前記２つの側面よりも内側でスライドするレンズバリアとを備えたカメラであり、前記レンズバリア内に収納され、被写体に向けて光を照射するフラッシュ発光部を備えたことを特徴とするものである。
【０００７】
また、前記レンズバリアは、前記前面及び前記２つの側面と隣接する隣接面に回り込むように略直角に屈曲された屈曲部を有し、前記フラッシュ発光部は、前記屈曲部に収納されていることが好ましい。
【０００８】
さらに、前記屈曲部には、前記フラッシュ発光部とともに、フラッシュ用のコンデンサが収納されており、前記フラッシュ発光部は、前記撮影レンズとの間隔が前記コンデンサよりも大きくなる位置に配置されていることが好ましい。また、前記レンズバリアの前面には、前方に向けて突出されたグリップ部が形成され、前記グリップ部内にフラッシュ用のコンデンサが収納されても良い。
【０００９】
さらに、前記レンズバリアは、前記隣接面と対向する対向面に、前記フラッシュ発光部を収納する突出部を有し、前記隣接面には、前記突出部を収納し、前記レンズバリアのスライドによる前記突出部の移動を許容する長さを有する溝部が設けられ、前記溝部は、前記レンズバリアによって常に覆われる位置に形成されていることが好ましい。
【００１０】
また、前記溝部は、前記カメラ本体の背面側に貫通されており、前記レンズバリアは、前記カメラ本体の背面側に回り込むように屈曲されていても良い。さらに、前記レンズバリアは、前記カメラ本体の背面側に延ばされた延設部に、操作部を備えていることが好ましい。
【００１１】
前記カメラ本体の背面には、画像を表示する表示手段が設けられており、前記レンズバリアが前記遮蔽位置にある場合、前記延設部によって、前記表示手段の少なくとも一部が覆われることを特徴とする請求項７に記載のカメラ。
【発明の効果】
【００１２】
本発明のカメラによれば、フラッシュ発光部が収納されたレンズバリアが、カメラ本体の互いに対向する２つの側面よりも内側でスライドするため、レンズバリアが露呈位置に移動された場合でもカメラ全体の体積が増加することがないため、撮影時の操作性が向上する。また、フラッシュ発光部をカメラ本体内に設ける場合よりも、カメラ本体内のスペース効率が向上し、カメラ本体を小型化することができる。
【００１３】
また、レンズバリアが、カメラ本体の前面側から隣接面に回り込むように、略直角に屈曲された屈曲部を有し、この屈曲部にフラッシュ発光部を収納したので、カメラ全体を薄型化することができる。
【００１４】
フラッシュ用のコンデンサを屈曲部に収納し、フラッシュ発光部をコンデンサよりも撮影レンズから遠い位置に配置することによって、フラッシュ発光部と撮影レンズとの距離を大きくして、赤目を確実に防止することが可能である。
【００１５】
レンズバリアにグリップ部を設け、このグリップ部内にフラッシュ用のコンデンサを収納したので、グリップ部を設けることによって形成されたスペースを有効活用して、カメラ本体を小型化することができる。
【００１６】
隣接面と対向するレンズバリアの対向面に突出部を設けてフラッシュ発光部を収納させ、レンズバリアがスライドできるように、隣接面に溝部を形成したので、カメラの外形からフラッシュ発光部が突出しないため、カメラのデザイン性を向上させることができる。
【００１７】
レンズバリアをカメラ本体の背面側に回り込むように屈曲させることによって、溝部がカメラ本体の背面側に貫通されている場合でも、溝部が外部に露呈されないため、デザイン性を向上させることができる。また、レンズバリアは、カメラ本体の背面側に延ばされた延設部に、操作部を備えているので、カメラ本体のスペース効率が向上してカメラ本体を小型化することができる。
【００１８】
また、レンズバリアが遮蔽位置にある場合、延設部によって表示手段の少なくとも一部が覆われるため、表示手段の表面に傷が付くことを防止できる。
【発明を実施するための最良の形態】
【００１９】
図１を参照して、第１の実施形態であるデジタルカメラ１０について説明する。デジタルカメラ１０は、略直方体形状のカメラ本体１１と、レンズバリア１２とを備えて構成されている。カメラ本体１１は、前面１１ａに撮影レンズ１３を備えている。レンズバリア１２は、撮影レンズ１３を保護するためにカメラ本体１１に取り付けられている。
【００２０】
レンズバリア１２は、カメラ本体１１の上面１１ｂに回り込むように、略直角に屈曲された屈曲部１４を有している。この屈曲部１４には、フラッシュ発光部１５と、フラッシュ用のメインコンデンサ１６とが収納されている。フラッシュ発光部１５は、放電管やリフレクタ等を備えて構成されており、メインコンデンサ１６には、直流電流によって電荷が蓄積される。
【００２１】
これらのフラッシュ発光部１５及びメインコンデンサ１６は、メインコンデンサ１６よりもフラッシュ発光部１５が撮影レンズ１３側となるように、左右に並べて配置されている。また、フラッシュ発光部１５を構成するフラッシュ発光窓１５ａは、屈曲部１４の前面１４ａから露呈されている。
【００２２】
屈曲部１４の上面１４ｂには、レリーズボタン１７が設けられている。撮影者によって、このレリーズボタン１７が操作された時に撮影が実行される。また、カメラ本体１１の背面には、画像や各種設定画面を表示する表示手段であるＬＣＤ（図２参照）２３や、複数の操作ボタンで構成される操作部（図示せず）等が設けられている。
【００２３】
また、カメラ本体１１の前面１１ａには、幅方向（矢印Ａ方向）に沿って２つのガイド溝（保持部）１８が形成されている。前述のレンズバリア１２の背面には、２つの突起１９が形成されており、この突起１９がガイド溝１８と嵌合され、レンズバリア１２が、撮影レンズ１３及びその周辺部を露呈させる露呈位置（図１（Ａ）に示す位置）と遮蔽する遮蔽位置（図１（Ｂ）に示す位置）との間で、矢印Ａに示す方向（カメラ本体１１の側面１１ｃ，１１ｄと略直交する方向）にスライド自在に保持されている。
【００２４】
また、このレンズバリア１２は、ガイド溝１８によって、側面１１ｃ，１１ｄの内側でスライドするように保持されている。つまり、レンズバリア１２のスライドによって、デジタルカメラ１０全体の体積は変化しない。なお、保持部の構成は、前述したようなガイド溝１８に限るものではなく、側面１１ｃ，１１ｄよりも内側でスライドするように保持されていれば良い。
【００２５】
図２に示すように、カメラ本体１１内には、撮像部２０と、制御基板２１と、フラッシュ基板２２と、ＬＣＤ２３とが設けられている。撮像部２０は、例えば、被写体光束を略直角に屈曲させるレンズ鏡筒であり、前述の撮影レンズ１３や、被写体光束を略直角に屈曲させるプリズム（図示せず）や、ＣＣＤイメージセンサ等の固体撮像素子（図示せず）を含んで構成されている。
【００２６】
また、制御基板２１には、カメラ本体１１内の各部を制御するＣＰＵ２１ａが実装されており、ＣＰＵ２１ａと前述の固体撮像素子とがフレキシブルプリント基板（図示せず）によって接続されている。また、フラッシュ基板２２には、フラッシュ回路２２ａが実装されている。さらに、ＬＣＤ２３は、カメラ本体１１の背面から視認可能なように露呈されている。
【００２７】
レンズバリア１２の屈曲部１４の下面には、開口が形成されており、この開口からフラッシュ発光部１５及びフラッシュ用のメインコンデンサ１６の接点（図示せず）が露呈されている。また、カメラ本体１１の上面１１ｂにも同様に開口が形成され、この開口からフラッシュ基板２２の接点（図示せず）が露呈されている。レンズバリア１２が露呈位置に移動された時に、これらの接点同士が接触して導通する。
【００２８】
なお、レンズバリア１２が露呈位置に移動された時に、接点同士が接続される場合を例に説明したが、これに限るものでなく、フレキシブルプリント基板（ＦＰＣ）によって、フラッシュ発光部１５及びメインコンデンサ１６と、フラッシュ基板２２とが接続されても良い。この場合、レンズバリア１２のスライド範囲を考慮して、ＦＰＣに充分な余長を持たせておけば良い。
【００２９】
前述したように、レンズバリア１２内に、フラッシュ発光部１５及びメインコンデンサ１６を収納することによって、カメラ本体１１内に収納される部品が少なくなり、カメラ本体１１を小型化することができる。また、フラッシュ発光部１５及びメインコンデンサ１６をレンズバリア１２の屈曲部１４に収納することによって、レンズバリア１２の前面側に設ける場合と比べて、デジタルカメラ１０の厚みを薄くすることができる。
【００３０】
次に、図３を参照して、第２の実施形態であるデジタルカメラ３０について説明する。デジタルカメラ３０は、デジタルカメラ１０と同様に、カメラ本体３１と、レンズバリア３２とを備えて構成されている。カメラ本体３１は、カメラ本体１１と同様の構成であり、同一の部品に対して同一の符号を付して詳しい説明を省略する。
【００３１】
レンズバリア３２は、レンズバリア１２と同様の形状を有しており、屈曲部３４を有している。この屈曲部３４には、フラッシュ発光部１５及びメインコンデンサ１６が収納されている。しかし、レンズバリア３２は、レンズバリア１２とは異なり、フラッシュ発光部１５及びメインコンデンサ１６の配置位置が逆にされており、フラッシュ発光部１５よりもメインコンデンサ１６が撮影レンズ１３側になるように左右に並べて配置されている。
【００３２】
また、レンズバリア３２は、レンズバリア１２と同様に、ガイド溝１８によって、撮影レンズ１３及びその周辺部を露呈させる露呈位置（図３（Ａ）に示す位置）と、これらを遮蔽する遮蔽位置（図３（Ｂ）に示す位置）との間でスライド自在に保持されている。この場合、レンズバリア３２を露呈位置に移動させた時に、デジタルカメラ１０の場合よりも、フラッシュ発光窓１５ａと撮影レンズ１３との距離が長くなり、赤目を防止することができる。なお、その他の構成は、レンズバリア１２と同様であり、同一の符号を付して詳しい説明を省略する。
【００３３】
次に、図４を参照して、第３の実施形態であるデジタルカメラ４０について説明する。デジタルカメラ４０は、デジタルカメラ１０と同様に、カメラ本体４１と、レンズバリア４２とを備えて構成されている。カメラ本体４１は、カメラ本体１１と同様の構成であり、同一の部品には同一の符号を付して詳しい説明を省略する。
【００３４】
レンズバリア４２は、レンズバリア１２とは形状が異なり、一部（撮影レンズ１３と反対側の部分）がカメラ本体４１の上面側に略直角に屈曲されている。また、このレンズバリア４２の前面には、半円柱形状の突出部であるグリップ部４３が形成されている。また、フラッシュ発光部１５は、カメラ本体４１の上面側に略直角に屈曲された屈曲部４４内に収納され、メインコンデンサ１６は、グリップ部４３内に収納されている。
【００３５】
また、レンズバリア４２は、レンズバリア１２と同様に、ガイド溝１８によって、撮影レンズ１３及びその周辺部を露呈させる露呈位置（図４（Ａ）に示す位置）と、これらを遮蔽する遮蔽位置（図４（Ｂ）に示す位置）との間でスライド自在に保持されている。
【００３６】
この場合も、レンズバリア４２を露呈位置に移動させた時に、デジタルカメラ１０の場合よりも、フラッシュ発光窓１５ａと撮影レンズ１３との距離が長くなり、赤目を防止することができる。さらに、グリップ部４３内にメインコンデンサ１６を収納したことにより、レンズバリア４２の屈曲部４４を小型化できるとともに、グリップ部４３によって形成されたスペースを有効に活用することができる。
【００３７】
次に、図５〜図７を参照して、第４の実施形態であるデジタルカメラ５０について説明する。デジタルカメラ５０は、カメラ本体５１と、レンズバリア５２とを備えて構成されている。カメラ本体５１は、カメラ本体１１と異なり、上面５１ａに溝部５３が形成されており、この溝部５３は、カメラ本体５１の前面側から背面側に貫通されて形成されている。
【００３８】
レンズバリア５２は、略コの字状に屈曲されており、カメラ本体５１の背面側に回り込んだ形状にされている。また、レンズバリア５２は、カメラ本体５１の上面５１ａと対向する面５２ａに略直方体形状の突出部５４が形成されている。この突出部５４は、レンズバリア５２がカメラ本体５１に取り付けられた時に、前述の溝部５３内に収納される。フラッシュ発光部１５は、突出部５４内に収納されており、フラッシュ発光窓１５ａがレンズバリア５２の前面５２ｂから露呈されている。また、メインコンデンサ１６は、前述の実施形態とは異なり、カメラ本体５１内に収納されている。
【００３９】
また、レンズバリア５２は、レンズバリア１２と同様に、溝１８によって、撮影レンズ１３及びその周辺部を露呈させる露呈位置（図５（Ａ）に示す位置）と、これらを遮蔽する遮蔽位置（図５（Ｂ）に示す位置）との間でスライド自在に保持されている。また、前述の突出部５４は、レンズバリア５２が露呈位置に移動された時に、溝部５３の左端部に移動し、レンズバリア５２が遮蔽位置に移動された時に、溝部５３の右端部に移動する。
【００４０】
なお、上記の説明において、メインコンデンサ１６をカメラ本体５１内に収納する場合を例に説明を行ったが、これに限るものではなく、デジタルカメラ４０と同様に、レンズバリア５２にグリップ部を設けて、このグリップ部内にメインコンデンサ１６を収納しても良い。
【００４１】
次に、図８を参照して、第５の実施形態であるデジタルカメラ６０について説明する。デジタルカメラ６０は、カメラ本体６１と、レンズバリア６２とを備えて構成されている。カメラ本体６１の背面には、ＬＣＤ２３が設けられている。このカメラ本体６１は、カメラ本体５１と同様の構成であり、詳しい説明を省略する。
【００４２】
レンズバリア６２は、前述のレンズバリア５２と同様に、コの字形状に屈曲されており、カメラ本体６１の背面側まで回り込んだ形状にされている。さらに、レンズバリア６２は、レンズバリア５２と異なり、背面側の一部がカメラ本体６１の下面の近傍まで伸ばされた延設部６４が形成されている。この延設部６４には、複数の操作ボタンで構成される操作部６５が設けられている。その他の構成は、レンズバリア５２と同様の構成であり、詳しい説明を省略する。
【００４３】
また、レンズバリア６２は、レンズバリア１２と同様に、ガイド溝１８によって、撮影レンズ１３及びその周辺部を露呈させる露呈位置（図８（Ａ）に示す位置）と、これらを遮蔽する遮蔽位置（図８（Ｂ）に示す位置）との間でスライド自在に保持されている。さらに、このレンズバリア６２は、前述したように、延設部６４が形成されているため、レンズバリア６２が露呈位置に移動された時に、この延設部６４によってＬＣＤ２３の一部が覆われて、ＬＣＤ２３の表面に傷が付くことを防止できる。
【００４４】
また、レンズバリア６２を遮蔽位置に移動させた時に、レンズバリア６２によって、ＬＣＤ２３の一部が覆われる場合を例に説明を行ったが、これに限るものではなく、ＬＣＤ２３の全体が覆われても良い。この場合、レンズバリアの移動範囲が長くなるため、カメラ本体６１が大型化するが、ＬＣＤ２３の一部を覆う場合と比べて傷が付くことを確実に防止することができる。さらに、メインコンデンサ１６をカメラ本体６１内ではなく、レンズバリア６２にグリップ部を設けて、このグリップ部内にコンデンサを収納しても良い。
【００４５】
なお、上記実施形態において、レンズバリアの屈曲部にフラッシュ発光部を収納した場合を例に説明を行ったが、これに限るものではなく、例えば、レンズバリアの前面にフラッシュ発光部を設けても良い。この場合、レンズバリアを屈曲させた部分にフラッシュ発光部を設ける場合よりもカメラ全体の厚さが大きくなるため、レンズバリアの屈曲部にフラッシュ発光部を設けることが好ましい。
【００４６】
また、上記実施形態において、レンズバリアの移動方向を左右方向にした場合を例に説明を行ったが、これに限るものではなく、例えば、移動方向を上下方向にしても良い。この場合、レンズバリアをカメラ本体の前面側から側面側に回りこむように屈曲させて、この部分にフラッシュ発光部を設けることによって、カメラを薄型化することができる。
【００４７】
また、上記実施形態において、本発明をデジタルカメラに適用した場合を例に説明を行ったが、これに限るものではなく、例えば、銀塩カメラに本発明を適用しても良い。
【図面の簡単な説明】
【００４８】
【図１】第１の実施形態であるデジタルカメラの前面側の構成を示す斜視図であり、フラッシュ発光部をメインコンデンサよりも撮影レンズ側になるように並べて配置した場合を示している。
【図２】第１の実施形態であるデジタルカメラの側断面図である。
【図３】第２の実施形態であるデジタルカメラの前面側の構成を示す斜視図であり、メインコンデンサよりも撮影レンズとの間隔が大きくなるようにフラッシュ発光部を配置した場合を示している。
【図４】第３の実施形態であるデジタルカメラの前面側の構成を示す斜視図であり、メインコンデンサをグリップ部に収納した場合を示している。
【図５】第４の実施形態であるデジタルカメラの前面側の構成を示す斜視図であり、カメラ本体の上面と対向する位置に突出部を形成して、フラッシュ発光部を収納した場合を示している。
【図６】第４の実施形態であるデジタルカメラの側断面図であり、レンズバリアが露呈位置にある状態を示している。
【図７】第４の実施形態であるデジタルカメラの断面図であり、レンズバリアが露呈位置にある状態を示している。
【図８】第５の実施形態であるデジタルカメラの背面側の構成を示す斜視図であり、レンズバリアの背面側に操作部を設けた場合を示している。
【符号の説明】
【００４９】
１０，３０，４０，５０，６０  デジタルカメラ
１１，３１，４１，５１，６１  カメラ本体
１２，３２，４２，５２，６２  レンズバリア
１３  撮影レンズ
１４，３４，４４  屈曲部
１５  フラッシュ発光部
１５ａ  フラッシュ発光窓
１８  ガイド溝
１９  突起
１６  メインコンデンサ
２３  ＬＣＤ
４３  グリップ部
５３  溝部
５４  突出部
６４  延設部
６５  操作部
【図１】
2008191454.tif 000003
【図２】
2008191454.tif 000004
【図３】
2008191454.tif 000005
【図４】
2008191454.tif 000006
【図５】
2008191454.tif 000007
【図６】
2008191454.tif 000008
【図７】
2008191454.tif 000009
【図８】
2008191454.tif 000010